【手続補正書】
【提出日】平成20年5月28日(2008.5.28)
【手続補正１】
【補正対象書類名】明細書
【補正対象項目名】発明の名称
【補正方法】変更
【補正の内容】
【発明の名称】遊技用システムおよび管理装置
【手続補正２】
【補正対象書類名】明細書
【補正対象項目名】特許請求の範囲
【補正方法】変更
【補正の内容】
【特許請求の範囲】
【請求項１】
遊技者を個別に特定可能な遊技者特定情報に対応付けて該遊技者に関する遊技者関連情報が記憶された遊技者関連情報記憶手段を有する管理装置と、
遊技機に対応して設けられ、前記遊技者特定情報が記録された記録媒体を受付けて該遊技者特定情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、
を備える遊技用装置と、
から成る遊技用システムにおいて、
前記管理装置は、催事対象者となる条件を設定するための催事対象条件設定手段と、該催事対象条件設定手段にて設定された催事対象条件を記憶する催事対象条件記憶手段と、
前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、
該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、
該集計・算出手段による集計および／または算出結果を出力する出力手段と、
を備えることを特徴とする遊技用システム。
【請求項２】
前記管理装置は、前記遊技者関連情報記憶手段に記憶されている遊技者特定情報の遊技者を会員遊技者と判定する会員遊技者判定手段を備え、
前記集計・算出手段は、前記会員遊技者判定手段の判定結果に基づいて、前記催事非対象者に占める会員遊技者数と非会員遊技者数の比率を特定可能な情報を集計および／または算出する請求項１に記載の遊技用システム。
【請求項３】
前記遊技用装置は、該遊技用装置を個別に特定可能な識別情報を送信するための識別情報送信手段を備え、
前記管理装置は、各遊技用装置の前記識別情報に対応付けて当該遊技用装置が対応する遊技機の機種を特定可能な情報を記憶するための遊技用装置情報記憶手段を備え、
前記集計・算出手段は、前記識別情報送信手段から送信されてきた識別情報と前記遊技用装置情報記憶手段の記憶情報とから特定される各遊技者が遊技中の遊技機の機種に基づいて、各機種毎に催事対象者数を集計する請求項１または２に記載の遊技用システム。
【請求項４】
前記集計・算出手段は、前記識別情報送信手段から送信されてきた識別情報と前記遊技用装置情報記憶手段の記憶情報とから特定される各遊技者が遊技中の遊技機の機種に基づいて、各機種毎に催事対象者数と催事非対象者数の比率を特定可能な情報を集計および／または算出する請求項３に記載の遊技用システム。
【請求項５】
前記出力手段は、遊技場内に設置された遊技機の配置状況を表示するとともに、該配置画面上に、各遊技機が非稼働中であるか、催事対象者が遊技中であるか、催事非対象者が遊技中であるかを識別可能に表示する請求項１〜４のいずれかに記載の遊技用システム。
【請求項６】
前記管理装置は、前記集計・算出手段にて集計および／または算出された催事対象者数と催事非対象者数との比率を特定可能な情報を所定時間毎に記憶する比率推移記憶手段を備え、
前記出力手段は、前記比率推移記憶手段に記憶された所定時間毎の比率を特定可能な情報に基づく比率推移状況を出力する請求項１〜５のいずれかに記載の遊技用システム。
【請求項７】
遊技機に対応して設けられ、遊技者を個別に特定可能な遊技者特定情報が記録された記録媒体を受付けて該遊技者特定情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、を備える遊技用装置とデータ通信可能に接続され、前記遊技者特定情報に対応付けて該遊技者に関する遊技者関連情報が記憶された遊技者関連情報記憶手段を有する管理装置において、
催事対象者となる条件を設定するための催事対象条件設定手段と、
該催事対象条件設定手段にて設定された催事対象条件を記憶する催事対象条件記憶手段と、
前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、
該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、
該集計・算出手段による集計および／または算出結果を出力する出力手段と、
を備えることを特徴とする管理装置。
【手続補正３】
【補正対象書類名】明細書
【補正対象項目名】０００５
【補正方法】変更
【補正の内容】
【０００５】
よって、本発明は上記した問題点に着目してなされたもので、催事の実施中においても、その効果の状況をリアルタイムに把握することのできる遊技用システムおよび管理装置を提供することを目的としている。
【手続補正４】
【補正対象書類名】明細書
【補正対象項目名】０００６
【補正方法】変更
【補正の内容】
【０００６】
【課題を解決するための手段】
前記した問題を解決するために、本発明の遊技用システムは、遊技者を個別に特定可能な遊技者特定情報に対応付けて該遊技者に関する遊技者関連情報が記憶された遊技者関連情報記憶手段を有する管理装置と、
遊技機に対応して設けられ、前記遊技者特定情報が記録された記録媒体を受付けて該遊技者特定情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、
を備える遊技用装置と、
から成る遊技用システムにおいて、
前記管理装置は、催事対象者となる条件を設定するための催事対象条件設定手段と、該催事対象条件設定手段にて設定された催事対象条件を記憶する催事対象条件記憶手段と、
前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、
該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、
該集計・算出手段による集計および／または算出結果を出力する出力手段と、
を備えることを特徴としている。
この特徴によれば、催事の開催中にあっても、現在遊技中の催事対象者数と催事非対象者数との比率が、前記集計・算出手段により集計および／または算出されて前記出力手段にて出力されるようになるため、催事の効果として、現在遊技中の催事対象者数と催事非対象者数との比率をリアルタイムに把握することができ、例えば、催事対象者の割合が低いような場合には、追加イベントの実施を検討する等の迅速な対応が可能となる。
【手続補正５】
【補正対象書類名】明細書
【補正対象項目名】００１１
【補正方法】変更
【補正の内容】
【００１１】
本発明の遊技用システムの前記管理装置は、前記集計・算出手段にて集計および／または算出された催事対象者数と催事非対象者数との比率を特定可能な情報を所定時間毎に記憶する比率推移記憶手段を備え、
前記出力手段は、前記比率推移記憶手段に記憶された所定時間毎の比率を特定可能な情報に基づく比率推移状況を出力することが好ましい。
このようにすれば、現時点での催事対象者と催事非対象者との比率のみならず、過去からの催事対象者と催事非対象者との比率の推移状況を簡便に把握することができる。
本発明の管理装置は、遊技機に対応して設けられ、遊技者を個別に特定可能な遊技者特定情報が記録された記録媒体を受付けて該遊技者特定情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、を備える遊技用装置とデータ通信可能に接続され、前記遊技者特定情報に対応付けて該遊技者に関する遊技者関連情報が記憶された遊技者関連情報記憶手段を有する管理装置において、
催事対象者となる条件を設定するための催事対象条件設定手段と、
該催事対象条件設定手段にて設定された催事対象条件を記憶する催事対象条件記憶手段と、
前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、
該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、
該集計・算出手段による集計および／または算出結果を出力する出力手段と、
を備えることを特徴としている。
この特徴によれば、催事の開催中にあっても、現在遊技中の催事対象者数と催事非対象者数との比率が、前記集計・算出手段により集計および／または算出されて前記出力手段にて出力されるようになるため、催事の効果として、現在遊技中の催事対象者数と催事非対象者数との比率をリアルタイムに把握することができ、例えば、催事対象者の割合が低いような場合には、追加イベントの実施を検討する等の迅速な対応が可能となる。
【手続補正６】
【補正対象書類名】明細書
【補正対象項目名】００６９
【補正方法】変更
【補正の内容】
【００６９】
前記実施例における各要素は、本発明に対して以下のように対応している。
本発明の請求項１は、遊技者を個別に特定可能な遊技者特定情報（会員ＩＤ）に対応付けて該遊技者に関する遊技者関連情報が記憶された遊技者関連情報記憶手段（記憶装置１２５；会員情報テーブル）を有する管理装置（会員管理コンピュータ１２０）と、遊技機（パチンコ機２）に対応して設けられ、前記遊技者特定情報（会員ＩＤ）が記録された記録媒体（会員カード）を受付けて該遊技者特定情報の読み出しを行う読み出し手段（カードリーダライタ３２７）と、該読み出し手段（カードリーダライタ３２７）により読み出された前記遊技者特定情報（会員ＩＤ）を前記管理装置（会員管理コンピュータ１２０）に送信する遊技者特定情報送信手段（通信部３３４）と、対応する前記遊技機（パチンコ機２）において遊技者が遊技中か否かを特定可能な稼働情報を送信する稼働情報送信手段（通信部３３４）と、を備える遊技用装置（カードユニット３）と、から成る遊技用システムにおいて、前記管理装置（会員管理コンピュータ１２０）は、催事対象者となる条件を設定するための催事対象条件設定手段（ＣＰＵ１２２、イベント対象条件設定画面）と、該催事対象条件設定手段（ＣＰＵ１２２、イベント対象条件設定画面）にて設定された催事対象条件を記憶する催事対象条件記憶手段（記憶装置１２５；イベントテーブル）と、前記遊技者特定情報送信手段（通信部３３４）から送信されてきた前記遊技者特定情報（会員ＩＤ）と前記遊技者関連情報記憶手段（記憶装置１２５；会員情報テーブル）の記憶情報に基づいて、当該遊技者が前記催事対象条件記憶手段（記憶装置１２５；イベントテーブル）に記憶されている催事対象条件を満たしている催事対象者であるか否かを判定する催事対象者判定手段（ＣＰＵ１２２、処理プログラム）と、該催事対象者判定手段（ＣＰＵ１２２、処理プログラム）の判定結果と前記稼働情報送信手段（通信部３３４）から送信されてきた稼働情報とに基づいて、現在遊技中の催事対象者数と催事非対象者数の比率を特定可能な情報を集計および／または算出する集計・算出手段（ＣＰＵ１２２、処理プログラム）と、該集計・算出手段（ＣＰＵ１２２、処理プログラム）による集計および／または算出結果を出力する出力手段（表示装置１２７）と、を備える。
【手続補正７】
【補正対象書類名】明細書
【補正対象項目名】００７４
【補正方法】変更
【補正の内容】
【００７４】
本発明の請求項６は、前記管理装置（会員管理コンピュータ１２０）は、前記集計・算出手段（ＣＰＵ１２２、処理プログラム）にて集計および／または算出された催事対象者数と催事非対象者数との比率を特定可能な情報を所定時間毎に記憶する比率推移記憶手段（記憶装置１２５；比率推移テーブル）を備え、前記出力手段（表示装置１２７）は、前記比率推移記憶手段（記憶装置１２５；比率推移テーブル）に記憶された所定時間毎の比率を特定可能な情報に基づく比率推移状況（比率推移グラフ）を出力する。
本発明の請求項７は、遊技機に対応して設けられ、遊技者を個別に特定可能な遊技者特定情報が記録された記録媒体を受付けて該遊技者特定情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、を備える遊技用装置とデータ通信可能に接続され、前記遊技者特定情報に対応付けて該遊技者に関する遊技者関連情報が記憶された遊技者関連情報記憶手段を有する管理装置において、催事対象者となる条件を設定するための催事対象条件設定手段と、該催事対象条件設定手段にて設定された催事対象条件を記憶する催事対象条件記憶手段と、前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、該集計・算出手段による集計および／または算出結果を出力する出力手段と、を備える。
【手続補正８】
【補正対象書類名】明細書
【補正対象項目名】００９４
【補正方法】変更
【補正の内容】
【００９４】
（ｆ）請求項６の発明によれば、現時点での催事対象者と催事非対象者との比率のみならず、過去からの催事対象者と催事非対象者との比率の推移状況を簡便に把握することができる。
（ｇ）請求項７の発明によれば、催事の開催中にあっても、現在遊技中の催事対象者数と催事非対象者数との比率が、前記集計・算出手段により集計および／または算出されて前記出力手段にて出力されるようになるため、催事の効果として、現在遊技中の催事対象者数と催事非対象者数との比率をリアルタイムに把握することができ、例えば、催事対象者の割合が低いような場合には、追加イベントの実施を検討する等の迅速な対応が可能となる。